(57)【要約】【課題】必要な受電装置に電力を供給することができる給電装置及び給電装置の制御方法を提供することを課題とする。【解決手段】給電装置は、複数の受電装置に電力をそれぞれ供給するための複数のポート（１０５）と、前記複数のポートのうちのいずれかのポートに新規の受電装置が接続されたことを検出した場合、前記複数のポートのいずれかに接続されている既存の受電装置に対して、前記給電装置の代わりに外部電源から電力の供給を受けるように指示し、前記既存の受電装置への電力の供給を終了し、前記新規の受電装置への電力の供給を開始する制御手段（１０２，１０３）とを有する。【選択図】図１
2019016319.tif 000002
【特許請求の範囲】
【請求項１】
給電装置であって、
複数の受電装置に電力をそれぞれ供給するための複数のポートと、
前記複数のポートのうちのいずれかのポートに新規の受電装置が接続されたことを検出した場合、前記複数のポートのいずれかに接続されている既存の受電装置に対して、前記給電装置の代わりに外部電源から電力の供給を受けるように指示し、前記既存の受電装置への電力の供給を終了し、前記新規の受電装置への電力の供給を開始する制御手段と
を有することを特徴とする給電装置。
【請求項２】
前記複数のポートは、それぞれ、複数の通信線を介して、複数の受電装置に対して通信信号に重畳された電力を供給することを特徴とする請求項１に記載の給電装置。
【請求項３】
前記制御手段は、前記複数のポートに接続されている一又は複数の既存の受電装置が、それぞれ、前記通信線及び外部電源のいずれかから選択的に電力の供給を受けることができる第１の電源種別と、前記通信線から電力の供給を受けることができ、かつ外部電源から電力の供給を受けることができない第２の電源種別とのいずれであるのかの情報を、前記通信線を介して前記既存の受電装置から取得し、前記第１の電源種別の既存の受電装置に対して、前記給電装置の代わりに外部電源から電力の供給を受けるように指示し、前記第１の電源種別の既存の受電装置への電力の供給を終了し、前記新規の受電装置への電力の供給を開始することを特徴とする請求項２に記載の給電装置。
【請求項４】
前記制御手段は、前記一又は複数の既存の受電装置の中に前記第１の電源種別の既存の受電装置が存在し、かつ前記第１の電源種別の既存の受電装置の電力が前記新規の受電装置の電力以上である場合には、前記第１の電源種別の既存の受電装置に対して、前記給電装置の代わりに外部電源から電力の供給を受けるように指示し、前記第１の電源種別の既存の受電装置への電力の供給を終了し、前記新規の受電装置への電力の供給を開始することを特徴とする請求項３に記載の給電装置。
【請求項５】
前記複数のポートは、優先順位を有し、
前記制御手段は、前記第１の電源種別の既存の受電装置に対して、前記給電装置の代わりに外部電源から電力の供給を受けるように指示し、前記指示の否定応答を受信した場合には、前記新規の受電装置が接続されるポートよりも優先順位が低いポートに接続される受電装置への電力の供給を終了し、前記新規の受電装置への電力の供給を開始することを特徴とする請求項４に記載の給電装置。
【請求項６】
前記複数のポートは、優先順位を有し、
前記制御手段は、前記一又は複数の既存の受電装置の中に前記第１の電源種別の既存の受電装置が存在しない場合、又は前記第１の電源種別の既存の受電装置の電力が前記新規の受電装置の電力より小さい場合には、前記新規の受電装置が接続されるポートよりも優先順位が低いポートに接続される受電装置への電力の供給を終了し、前記新規の受電装置への電力の供給を開始することを特徴とする請求項４又は５に記載の給電装置。
【請求項７】
前記制御手段は、前記電力の供給の変更後の供給電力が前記給電装置の最大給電可能電力以下である場合に、前記優先順位が低いポートに接続される受電装置への電力の供給を終了し、前記新規の受電装置への電力の供給を開始し、前記電力の供給の変更後の供給電力が前記給電装置の最大給電可能電力以下でない場合に、前記優先順位が低いポートに接続される受電装置への電力の供給を継続し、前記新規の受電装置へ電力を供給しないことを特徴とする請求項５又は６に記載の給電装置。
【請求項８】
前記制御手段は、前記複数のポートのいずれかに接続されている一又は複数の既存の受電装置の電力と前記新規の受電装置の電力の合計が、前記給電装置の最大給電可能電力より大きい場合には、前記複数のポートのいずれかに接続されている既存の受電装置に対して、前記給電装置の代わりに外部電源から電力の供給を受けるように指示し、前記既存の受電装置への電力の供給を終了し、前記新規の受電装置への電力の供給を開始することを特徴とする請求項１〜７のいずれか１項に記載の給電装置。
【請求項９】
前記制御手段は、前記複数のポートのいずれかに接続されている一又は複数の既存の受電装置の電力と前記新規の受電装置の電力の合計が、前記給電装置の最大給電可能電力以下である場合には、前記新規の受電装置への電力の供給を開始することを特徴とする請求項８に記載の給電装置。
【請求項１０】
前記制御手段は、ＬＬＤＰにより、前記第１の電源種別と前記第２の電源種別とのいずれであるのかの情報を前記通信線を介して受信することを特徴とする請求項３〜７のいずれか１項に記載の給電装置。
【請求項１１】
前記給電装置は、無停電電源に接続され、
前記制御手段は、前記給電装置の電源が前記無停電電源に切り替わったことを検出した場合には、前記ＬＬＤＰの設定送信時間間隔を待たずに、前記第１の電源種別と前記第２の電源種別とのいずれであるのかの情報を前記通信線を介して取得することを特徴とする請求項１０に記載の給電装置。
【請求項１２】
前記制御手段は、前記ポートに第１の電圧を印加することにより、前記ポートに受電装置が接続されているか否かを検出し、前記ポートに第２の電圧を印加することにより、前記ポートに接続されている受電装置の電力を検出することを特徴とする請求項８又は９に記載の給電装置。
【請求項１３】
複数の受電装置に電力をそれぞれ供給するための複数のポートを有する給電装置の制御方法であって、
制御手段により、前記複数のポートのうちのいずれかのポートに新規の受電装置が接続されたことを検出するステップと、
前記制御手段により、前記新規の受電装置が接続されたことを検出した場合、前記複数のポートのいずれかに接続されている既存の受電装置に対して、前記給電装置の代わりに外部電源から電力の供給を受けるように指示し、前記既存の受電装置への電力の供給を終了し、前記新規の受電装置への電力の供給を開始するステップと
を有することを特徴とする給電装置の制御方法。
【発明の詳細な説明】
【技術分野】
【０００１】
本発明は、給電装置及び給電装置の制御方法に関する。
【背景技術】
【０００２】
ＬＡＮケーブルを利用して電力を供給する技術として、ＰｏＥ（Power over Ether）がIEEE80.3atとして規格化されている。ＰｏＥには、給電装置（ＰＳＥ：Power Sourcing Equipment）と受電装置（ＰＤ：Powered Device）がある。一般的に、給電装置は、ポート毎に一定の電力を割り振る。大規模な給電システムを構築する場合、給電装置は、きめ細かに受電装置へ供給する電力を決定することにより、受電装置の収容数を増加することができる。
【０００３】
例えば、特許文献１には、事前の受電装置の消費電力に基づいて、受電装置への供給電力を決定する方法が開示されている。また、特許文献２には、受電装置の通信量に基づいて、受電装置への供給電力を決定する方法が開示されている。
【先行技術文献】
【特許文献】
【０００４】
【特許文献１】特開２０１２−１０８８４７号公報
【特許文献２】特開２００９−２１８７５２号公報
【発明の概要】
【発明が解決しようとする課題】
【０００５】
しかし、ポート数が多い給電装置は、全てのポートに給電しようとすると、電源容量が大きくなり、装置の大型化、重量の増加が懸念される。特許文献１及び２は、受電装置個々に対しての給電電力を決定する方法であるため、この課題を解決することができない。
【０００６】
本発明の目的は、必要な受電装置に電力を供給することができる給電装置及び給電装置の制御方法を提供することである。
【課題を解決するための手段】
【０００７】
本発明の給電装置は、給電装置であって、複数の受電装置に電力をそれぞれ供給するための複数のポートと、前記複数のポートのうちのいずれかのポートに新規の受電装置が接続されたことを検出した場合、前記複数のポートのいずれかに接続されている既存の受電装置に対して、前記給電装置の代わりに外部電源から電力の供給を受けるように指示し、前記既存の受電装置への電力の供給を終了し、前記新規の受電装置への電力の供給を開始する制御手段とを有する。
【発明の効果】
【０００８】
本発明によれば、必要な受電装置に電力を供給することができる。
【図面の簡単な説明】
【０００９】
【図１】給電システムの構成例を示す図である。
【図２】登録テーブルの構成例を示す図である。
【図３】給電システムの構成例を示す図である。
【図４】給電装置の制御方法を示すフローチャートである。
【図５】受電装置の検出及び要求電力検出時の印加電圧を示す図である。
【図６】供給電力の優先順位変更シーケンスを示す図である。
【図７】給電装置の起動時の動作を示すフローチャートである。
【発明を実施するための形態】
【００１０】
図１は、本発明の実施形態による給電システムの構成例を示す図である。給電システムは、給電装置１０１と、第１の受電装置１１０ａと、第２の受電装置１１１と、第３の受電装置１１０ｃと、第４の受電装置１１０ｄと、無停電電源１０９と、外部電源１１２とを有する。無停電電源（ＵＰＳ）１０９は、給電装置１０１に接続される。外部電源１１２は、第２の受電装置１１１に接続される。給電装置１０１は、第１の通信回路ブロック１０６ａと、第２の通信回路ブロック１０６ｂと、第３の通信回路ブロック１０６ｃと、第４の通信回路ブロック１０６ｄと、登録テーブル１０７とを有する。第１〜第４の通信回路ブロック１０６ａ〜１０６ｄは、それぞれ、通信制御部１０２と、ＰｏＥ制御部１０３と、パルストランス１０４と、ポート１０５とを有する。登録テーブル１０７は、第１〜第４の通信回路ブロック１０６ａ〜１０６ｄに接続される。第１〜第４のＬＡＮケーブル１０８ａ〜１０８ｄは、それぞれ、通信線である。
【００１１】
第１の受電装置１１０ａは、第１のＬＡＮケーブル１０８ａを介して、給電装置１０１の第１の通信回路ブロック１０６ａのポート１０５に接続される。第２の受電装置１１１は、第２のＬＡＮケーブル１０８ｂを介して、給電装置１０１の第２の通信回路ブロック１０６ｂのポート１０５に接続される。第３の受電装置１１０ｃは、第３のＬＡＮケーブル１０８ｃを介して、給電装置１０１の第３の通信回路ブロック１０６ｃのポート１０５に接続される。第４の受電装置１１０ｄは、第４のＬＡＮケーブル１０８ｄを介して、給電装置１０１の第４の通信回路ブロック１０６ｄのポート１０５に接続される。
【００１２】
給電装置１０１は、第１の受電装置１１０ａ、第２の受電装置１１１、第３の受電装置１１０ｃ及び第４の受電装置１１０ｄに電力をそれぞれ供給するための４個のポート１０５を有する。通信制御部１０２は、通信を制御する。ＰｏＥ制御部１０３は、電力を制御する。パルストランス１０４は、通信制御部１０２の通信信号とＰｏＥ制御部１０３の電力を重畳してポート１０５に出力する。複数のポート１０５は、それぞれ、複数のＬＡＮケーブル１０８ａ〜１０８ｄを介して、複数の受電装置１１０ａ，１１１，１１０ｃ，１１０ｄに対して通信信号に重畳された電力を供給する。また、パルストランス１０４は、ポート１０５の通信信号と電力を分離し、通信信号を通信制御部１０２に出力し、電力をＰｏＥ制御部１０３に出力する。ポート１０５は、通信ポートである。登録テーブル１０７は、各ポート１０５に接続された第１〜第４の受電装置１１０ａ，１１１，１１０ｃ，１１０ｄの電力及び電源種別を記憶する。第１、第３及び第４の受電装置１１０ａ，１１０ｃ，１１０ｄは、給電装置１０１の電力のみで動作する。第２の受電装置１１１は、給電装置１０１の電力と外部電源１１２の電力を切り替えて動作する。
【００１３】
図２は図１の登録テーブル１０７の構成例を示す図であり、図３は給電システムの構成例を示す図である。登録テーブル１０７は、ポート番号と、ポートの優先順位と、ポートに接続されている受電装置への供給電力と、ポートに接続されている受電装置の電源種別を記憶する。受電装置の電源種別には、ＰｏＥと外部メインがある。ＰｏＥの電源種別は、ＬＡＮケーブル１０８ａ〜１０８ｄから電力の供給を受けることができ、かつ外部電源から電力の供給を受けることができない受電装置の電源種別である。外部メインの電源種別は、ＬＡＮケーブル１０８ｂ及び外部電源１１２のいずれかから選択的に電力の供給を受けることができる受電装置の電源種別である。
【００１４】
給電装置１０１は、ポート１と、ポート２と、ポート３と、ポート４とを有する。ポート１は、ポート番号が１であり、優先順位が１番であり、供給電力がａ［Ｗ］であり、電源種別がＰｏＥである。ＰｏＥは、給電装置１０１のみから受電する受電装置が接続されていることを示す。ポート２は、ポート番号が２であり、優先順位が２番であり、供給電力がｂ［Ｗ］であり、電源種別が外部メインである。外部メインは、給電装置１０１の電力と外部電源の電力を切り換えて受電する受電装置が接続されていることを示す。ポート３は、ポート番号が３であり、優先順位が３番であり、受電装置が接続されていない状態を示す。ポート４は、ポート番号が４であり、優先順位が４番であり、供給電力がｄ［Ｗ］であり、電源種別がＰｏＥである。
【００１５】
図４は給電装置１０１の制御方法を示すフローチャートであり、図５は受電装置の検出及び要求電力検出時の印加電圧を示す図であり、図６は供給電力の優先順位変更シーケンスを示す図である。以下、給電装置１０１の給電優先制御について説明する。図３に示すように、給電装置１０１は、４個のポート１〜ポート４を有する。第１の受電装置１１０ａは、給電装置１０１のポート１に接続されている。第２の受電装置１１１は、給電装置１０１のポート２に接続されている。第４の受電装置１１０ｄは、給電装置１０１のポート４に接続されている。給電装置１０１のポート３には、受電装置が接続されていない。
【００１６】
図２の登録テーブル１０７に示すように、給電装置１０１の電力供給の優先順位の初期値は、ポート１＞ポート２＞ポート３＞ポート４である。第１の受電装置１１０ａと第４の受電装置１１０ｄは、給電装置１０１の電力のみで動作するＰｏＥの受電装置である。第２の受電装置１１１は、外部電源１１２の電力と給電装置１０１の電力（ＰｏＥ）を切り替えて動作可能な外部メインの受電装置である。第１の受電装置１１０ａの電力をａ［Ｗ］、第２の受電装置１１１の電力をｂ［Ｗ］、第４の受電装置１１０ｄの電力をｄ［Ｗ］とする。ここで、電力がｃ［Ｗ］の第３の受電装置１１０ｃがポート３に新たに接続される場合の動作を説明する。
【００１７】
ステップＳ４０１において、給電装置１０１の第３の通信回路ブロック１０６ｃのＰｏＥ制御部１０３は、ポート３を監視し、新規の受電装置がポート３に接続されたか否かの検出を行う。各ポートのＰｏＥ制御部１０３は、複数のポートのうちのいずれかのポートに新規の受電装置が接続されたか否かを検出する。次に、ステップＳ４０２において、第３の通信回路ブロック１０６ｃのＰｏＥ制御部１０３は、新規の受電装置がポート３に接続されたか否かを判定する。第３の通信回路ブロック１０６ｃは、新規の受電装置１１０ｃがポート３に接続されたと判定した場合には、ステップＳ４０３に処理を進め、新規の受電装置がポート３に接続されていないと判定した場合には、ステップＳ４０１に処理を戻す。
【００１８】
例えば、ステップＳ４０１において、第３の通信回路ブロック１０６ｃのＰｏＥ制御部１０３は、一定時間間隔で、図５及び図６に示すように、検出電圧Ｖｄｅｔを、ポート３を介して第３のＬＡＮケーブル１０８ｃ上に印加する。そして、第３の通信回路ブロック１０６ｃのＰｏＥ制御部１０３は、ポート３に受電装置が接続されているか否かを検出する。
【００１９】
ステップＳ４０３において、第３の通信回路ブロック１０６ｃは、第３の受電装置１１０ｃの要求電力の検出を行う。例えば、第３の通信回路ブロック１０６ｃのＰｏＥ制御部１０３は、図５及び図６に示すように、検出電圧Ｖｄｅｔよりも高い電圧Ｖｃｌａｓｓを、ポート３を介して第３のＬＡＮケーブル１０８ｃ上に印加する。そして、第３の通信回路ブロック１０６ｃのＰｏＥ制御部１０３は、ポート３に接続されている第３の受電装置１１０ｃの要求電力（電力クラス）の検出を行う。
【００２０】
次に、ステップＳ４０４において、第３の通信回路ブロック１０６ｃの通信制御部１０２は、図２の登録テーブル１０７を参照し、現在、給電装置１０１に接続されている受電装置１１０ａ，１１１，１１０ｄに給電中の電力（ａ＋ｂ＋ｄ）［Ｗ］を取得する。次に、第３の通信回路ブロック１０６ｃの通信制御部１０２は、その電力（ａ＋ｂ＋ｄ）［Ｗ］に対して、ステップＳ４０３の第３の受電装置１１０ｃの要求電力ｃ［Ｗ］を加算し、合計電力（ａ＋ｂ＋ｃ＋ｄ）［Ｗ］を得る。次に、第３の通信回路ブロック１０６ｃの通信制御部１０２は、その合計電力（ａ＋ｂ＋ｃ＋ｄ）［Ｗ］が給電装置１０１の最大給電可能電力より大きいか否かを判定する。第３の通信回路ブロック１０６ｃの通信制御部１０２は、その合計電力（ａ＋ｂ＋ｃ＋ｄ）［Ｗ］が給電装置１０１の最大給電可能電力以下であると判定した場合には、ステップＳ４０５に処理を進める。また、第３の通信回路ブロック１０６ｃの通信制御部１０２は、その合計電力（ａ＋ｂ＋ｃ＋ｄ）［Ｗ］が給電装置１０１の最大給電可能電力より大きいと判定した場合には、ステップＳ４０７に処理を進める。
【００２１】
ステップＳ４０５において、第３の通信回路ブロック１０６ｃのＰｏＥ制御部１０３は、図５に示すように、新規の第３の受電装置１１０ｃに対して、電圧Ｖｏｐを印加し、電力の供給を開始する。次に、ステップＳ４０６において、第３の通信回路ブロック１０６ｃの通信制御部１０２は、図２の登録テーブル１０７に対して、新規の第３の受電装置１１０ｃが接続されたポート３の内容を登録し、ステップＳ４０１に処理を戻す。登録テーブル１０７のポート３には、供給電力がｃ［Ｗ］であり、電源種別がＰｏＥであることが登録される。
【００２２】
次に、上記のステップＳ４０６の処理を具体的に説明する。図２の登録テーブル１０７のポート番号が３の供給電力の欄には、ポート３が給電を開始した時点で、ｃ［Ｗ］の値が登録される。次に、第３の通信回路ブロック１０６ｃの通信制御部１０２は、ＬＬＤＰ（Link Layer Discovery Protocol）を使用したネゴシエーションにより、第３の受電装置１１０ｃの電源種別を取得する。次に、第３の通信回路ブロック１０６ｃの通信制御部１０２は、登録テーブル１０７のポート番号が３の電源種別の欄に、第３の受電装置１１０ｃの電源種別を登録する。なお、第３の受電装置１１０ｃがＬＬＤＰの機能を持たない場合、登録テーブル１０７のポート番号が３の電源種別の欄は空欄となる。
【００２３】
ステップＳ４０７において、第３の通信回路ブロック１０６ｃの通信制御部１０２は、図２の登録テーブル１０７を参照する。第３の通信回路ブロック１０６ｃの通信制御部１０２は、電源種別が外部メインである受電装置１１１が接続されたポートがあり、かつその受電装置１１１の電力ｂ［Ｗ］が第３の受電装置１１０ｃの電力ｃ［Ｗ］以上であることの条件を満たすか否かを判定する。この条件は、複数のポートのいずれかに接続されている一又は複数の既存の受電装置の中に外部メインの電源種別の既存の受電装置が存在し、かつその外部メインの電源種別の既存の受電装置の電力が新規の受電装置の電力以上であることの条件である。次に、ステップＳ４０８において、第３の通信回路ブロック１０６ｃの通信制御部１０２は、上記の条件を満たさないと判定した場合には、ステップＳ４０９に処理を進め、上記の条件を満たすと判定した場合には、ステップＳ４１０に処理を進める。
【００２４】
ステップＳ４０９において、第３の通信回路ブロック１０６ｃの通信制御部１０２は、登録テーブル１０７のポートの優先順位に応じて、第１〜第４の通信回路ブロック１０６ａ〜１０６ｄのＰｏＥ制御部１０３を制御し、給電処理を行う。例えば、図２の登録テーブル１０７に示すように、優先順位は、ポート３＞ポート４である。ポート４は、ポート３より優先順位が低い。そこで、第３の通信回路ブロック１０６ｃの通信制御部１０２は、ポート１〜ポート３に接続される第１〜第３の受電装置１１０ａ，１１１，１１０ｃの合計電力（ａ＋ｂ＋ｃ）Ｗが給電装置１０１の最大給電可能電力以下であるか否かを判定する。すなわち、通信制御部１０２は、電力の供給の変更後の供給電力が給電装置１０１の最大給電可能電力以下であるか否かを判定する。第３の通信回路ブロック１０６ｃの通信制御部１０２は、最大給電可能電力以下である場合には、第４の受電装置１１０ｄの電力を切断した後に、第３の受電装置１１０ｃに給電を開始させるように、通信回路ブロック１０６ｃ及び１１０ｄを制御する。これにより、第４の通信回路ブロック１０６ｄのＰｏＥ制御部１０３は、第４の受電装置１１０ｄが接続されるポート４への電力の供給を終了する。その後、第３の通信回路ブロック１０６ｃのＰｏＥ制御部１０３は、第３の受電装置１１０ｃが接続されるポート３への電力の供給を開始する。
【００２５】
第３の通信回路ブロック１０６ｃの通信制御部１０２は、登録テーブル１０７を変更する。例えば、第３の通信回路ブロック１０６ｃの通信制御部１０２は、登録テーブル１０７において、ポート４に接続されている第４の受電装置１１０ｄの供給電力欄と電源種別欄を削除する。そして、第３の通信回路ブロック１０６ｃの通信制御部１０２は、登録テーブル１０７において、ポート３に接続された第３の受電装置１１０ｃの電力ｃ［Ｗ］をポート３の供給電力欄に記録する。次に、第３の通信回路ブロック１０６ｃの通信制御部１０２は、ＬＬＤＰを使用したネゴシエーションにより、ポート３に接続される第３の受電装置１１０ｃの電源種別を取得する。次に、第３の通信回路ブロック１０６ｃの通信制御部１０２は、その取得した電源種別を、登録テーブル１０７のポート３の電源種別欄に登録する。なお、第３の受電装置１１０ｃがＬＬＤＰの機能を持たない場合、登録テーブル１０７のポート３の電源種別の欄は空欄となる。その後、給電装置１０１は、ステップＳ４０１に処理を戻す。
【００２６】
第３の通信回路ブロック１０６ｃの通信制御部１０２は、（ａ＋ｂ＋ｃ）Ｗが最大給電可能電力以下でない場合には、第４の受電装置１１０ｄの電力を切断せずに第３の受電装置１１０ｃには給電しないように、通信回路ブロック１０６ｃ及び１１０ｄを制御する。第４の通信回路ブロック１０６ｄのＰｏＥ制御部１０３は、第４の受電装置１１０ｄが接続されるポート４への電力の供給を継続する。また、第３の通信回路ブロック１０６ｃのＰｏＥ制御部１０３は、第３の受電装置１１０ｃが接続されるポート３へ電力を供給しない。その後、給電装置１０１は、ステップＳ４０１に処理を戻す。
【００２７】
ステップＳ４１０において、第２の通信回路ブロック１０６ｂの通信制御部１０２は、図６に示すように、ＬＬＤＰを使用したネゴシエーションにより、ポート２に接続される第２の受電装置１１１に対して、外部電源１１２への変更要求を送信する。すなわち、通信制御部１０２は、ポート２に接続されている既存の受電装置１１１に対して、給電装置１０１の代わりに外部電源１１２から電力の供給を受けるように指示する。第２の受電装置１１１は、外部電源１１２への変更が可能な場合には、電源を給電装置１０１から外部電源１１２に切り替えた後に、図６に示すように、給電装置１０１に対して肯定応答（Ａｃｋ）を返信する。また、第２の受電装置１１１は、外部電源１１２への変更が可能でない場合には、電源を変更せず、給電装置１０１に対して否定応答（Ｎａｃｋ）を返信する。
【００２８】
ステップＳ４１１において、第２の通信回路ブロック１０６ｂの通信制御部１０２は、第２の受電装置１１１から肯定応答を受信した場合には、ステップＳ４１２に処理を進める。また、第２の通信回路ブロック１０６ｂの通信制御部１０２は、第２の受電装置１１１から否定応答を受信した場合には、上記のステップＳ４０９に処理を進める。
【００２９】
ステップＳ４１２において、第２の通信回路ブロック１０６ｂのＰｏＥ制御部１０３は、ポート２の既存の受電装置１１１への電力の供給を終了する。次に、ステップＳ４１３において、第３の通信回路ブロック１０６ｃのＰｏＥ制御部１０３は、ポート３の新規の受電装置１１０ｃへの電力の供給を開始する。次に、ステップＳ４１４において、第３の通信回路ブロック１０６ｃの通信制御部１０２は、登録テーブル１０７の変更を行う。
【００３０】
ステップＳ４１４の動作を以下に説明する。第３の通信回路ブロック１０６ｃの通信制御部１０２は、登録テーブル１０７において、ポート２に接続されている第２の受電装置１１１の供給電力欄と電源種別欄を削除する。そして、第３の通信回路ブロック１０６ｃの通信制御部１０２は、登録テーブル１０７において、ポート３に接続された第３の受電装置１１０ｃの電力ｃ［Ｗ］をポート３の供給電力欄に登録する。その後、給電装置１０１は、ステップＳ４０１に処理を戻す。図６は、Ｓ４０１→Ｓ４０３→Ｓ４１０→Ｓ４１２→Ｓ４１３の一連のフローを示す。
【００３１】
図７は、給電装置１０１の起動時の動作を示すフローチャートである。ステップＳ７０１において、給電装置１０１は、電源投入時に自己の初期化処理を行う。その後、各ポートのＰｏＥ制御部１０３は、各ポート１０５に検出電圧Ｖｄｅｔを印加し、受電装置の検出処理を行う。
【００３２】
次に、ステップＳ７０２において、各ポートのＰｏＥ制御部１０３は、有効な受電装置が検出されない場合には、ステップＳ７０１に処理を戻し、一定時間間隔で空きポートに検出電圧Ｖｄｅｔを印加する。また、ステップＳ７０２において、各ポートのＰｏＥ制御部１０３は、有効な受電装置が検出された場合には、ステップＳ７０３に処理を進める。
【００３３】
ステップＳ７０３において、有効ポートのＰｏＥ制御部１０３は、各ポート１０５に電圧Ｖｃｌａｓｓを印加し、各ポート１０５の受電装置の要求電力を検出する。次に、ステップＳ７０４において、有効ポートのＰｏＥ制御部１０３は、各ポート１０５に電圧Ｖｏｐを印加することにより、受電装置への給電を開始する。これにより、受電装置が起動する。
【００３４】
次に、ステップＳ７０５において、有効ポートの通信制御部１０２は、受電装置の電源種別の確認処理を行う。例えば、通信制御部１０２は、受電装置に対して、ＬＬＤＰコマンドを送信する。受電装置は、ＬＬＤＰレスポンス中に、給電装置１０１のＰｏＥのみで動作するＰｏＥの電源種別と、給電装置１０１のＰｏＥと外部電源を切り替えで動作する外部メインの電源種別とのいずれであるのかの情報を埋め込み、給電装置１０１に返信する。通信制御部１０２は、ＬＡＮケーブルを介して、返信されたＬＬＤＰレスポンスを受信（取得）して、受電装置の電源種別を判別する。
【００３５】
次に、ステップＳ７０６において、通信制御部１０２は、登録テーブル１０７に、上記の電源種別と供給電力（要求電力）を記録する。このようにして、実際の受電装置の電源種別に基づいた電力供給が可能となる。
【００３６】
以下、ＬＬＤＰ送信時間間隔の変更について説明する。給電装置１０１と受電装置間のＬＬＤＰ通信は、設定された一定の送信時間間隔で行われる。給電装置１０１の通信制御部１０２は、給電装置１０１の電源が無停電電源１０９に切り替わったことを検出した場合には、上記の設定送信時間間隔を待たずに、ＬＬＤＰ通信により、受電装置の電源種別の情報を通信ケーブルを介して受信（取得）する。これにより、給電装置１０１は、受電装置の電源環境の変化を検出することができる。
【００３７】
本実施形態によれば、給電できる複数のポートに優先順位を付けて制限することができる。新規に接続された受電装置を含めた合計電力が最大給電可能電力を超えると判定された場合、給電装置１０１は、優先順位の低い受電装置への電力供給を終了させ、新規に接続された受電装置への電力供給を開始する。ただし、外部電源１１２で動作可能な受電装置１１１が存在した場合、給電装置１０１は、受電装置１１１の電源を外部電源１１２に変更させ、優先順位の低い受電装置への電力供給を継続し、新規に接続された受電装置への電力供給を開始することができる。給電装置１０１は、受電装置の電力、電源種別及び電源状況に応じて、給電の優先順位を既存の設定値から変更することにより、柔軟な運用を可能にする。
【００３８】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００３９】
１０１  給電装置、１０２  通信制御部、１０３  ＰｏＥ制御部、１０４  パルストランス、１０５  ポート
【図１】
2019016319.tif 000003
【図２】
2019016319.tif 000004
【図３】
2019016319.tif 000005
【図４】
2019016319.tif 000006
【図５】
2019016319.tif 000007
【図６】
2019016319.tif 000008
【図７】
2019016319.tif 000009